(57)【要約】【課題】      従来の照明器具は使用者・所有者がその時々の趣味・嗜好・必要あるいはＴＰＯ（時間・季節、場所、場合）などによって、光源やシェードの配光・光色・デザインなどを簡易に変更することができなかった。【解決手段】  光源１（様々な種類の光源の使用が可能）の周囲をガラス・アクリル板等の透光性のパネル２ａ・２ｂ・２ｃで覆う。それに平面的な造形物や立体的な造形物を貼るか、又はそのパネル２ａ・２ｂ・２ｃを複数層にすることにより平面的な造形物や、厚さの薄い立体的な造形物３ａ・３ｂ・３ｃを貼ることに加え、挟持することが可能となる。また空間４ａ・４ｂに立体的な造形物５を収装できるものとした。これらにより照明の配光・光色・デザイン等を簡易に変更できる照明器具とした。【選択図】    図１
2005174891.tif 000002
【特許請求の範囲】
【請求項１】
光源の周囲に大きさの異なる複数の透光性のパネルを所定の間隔を有して配設し、シェード体を形成する。前記パネルの間に立体的造形物である固体・液体・気体を選択的に若しくは組み合わせて収装し、収装物を透過・反射又は隙間を通して周囲を照らすように構成することにより、配光・光色・デザイン等を簡易に変更できるようにしたことを特徴とする照明器具。
【請求項２】
光源の周囲に単数又は大きさの異なる複数の透光性のパネルにより形成したシェード体を配設し、前記パネルに平面的な造形物及び立体的な造形物を貼るか又は前記パネルをそれぞれ複数層にすることによりその隙間に平面的な造形物及び立体的な造形物で厚さが薄い造形物を挟持したり、前記パネルに貼ることにより、照明の配光・光色・デザイン等を簡易に変更できるようにしたことを特徴とする照明器具。
【請求項３】
請求項１又は２の造形物をそれぞれ複数層重ねるか又は混在させて複数層重ねることにより配光、光色、デザイン等を簡易に変更できるようにした請求項１又は２の照明器具。
【請求項４】
ろうそく・白熱球・蛍光灯・ＬＥＤ等から選択される光源は、光源の周囲に配設するシェード体を形成するパネルの任意の部分に空洞箇所を形成し、前記光源を前記空洞箇所に配設したことを特徴とする請求項１〜３のいずれかの照明器具。
【発明の詳細な説明】
【技術分野】
【０００１】  この発明は照明器具の光源を覆うシェード体の配光・光色・デザイン等の内容並びに光源の種類を簡易に変更できる照明器具に関する。
【背景技術】
【０００２】  従来の照明器具のシェード体は使用者・所有者がその時々の趣味・嗜好・必要により、又はＴＰＯ（時間・季節、場所、場合）等によって、配光・光色・デザインを簡易に変更することができない。【０００３】  従来の照明器具のシェード体には固体・液体・気体などを素材とする種々の立体的な造形物などを使用者の好みなどに応じて選択して、或いは変更可能に使用することができなかった。公知例にビー玉などを透光体・不透光体として使用したものがあった（特許文献１参照）が、明暗及び光りの広がりによる空間の演出をするにとどまっていた。
【特許文献１】    実開平        ０１−０８６００７号公報
【０００４】  また従来の照明器具では平面的な造形物である写真・絵画・図柄・文字等の施された紙・シート等を使用して、単純にある一枚の平面的な造形物をバックライトにより照明して光らせ美しく見せることにとどまっていた。【０００５】  しかも従来の照明器具においては光源に様々なもの中から選択して簡易に変更して使用できるようにしたものはなく、光源は一種類に限られていて興趣に欠けるものであった。
【発明の開示】
【発明が解決しようとする課題】
【０００６】  本発明は照明器具のシェード体に関して、使用者・所有者がその時々の趣味・嗜好・必要により、又はＴＰＯ（時間・季節、場所、場合）等によって、配光・光色・デザインを簡易に変更することができるようにした照明器具を提供することを課題とする。【０００７】  本発明は照明器具のシェード体に立体的な造形物（固体・液体・気体）を使用することができるようにした照明器具を提供することを課題とする。【０００８】  本発明は照明器具のシェード体に立体的な造形物と平面的な造形物をそれぞれ複数層重ねるか又は混在させて重ね合わせることができるようにした照明器具を提供することを課題とする。【０００９】  本発明は様々な光源を変更可能に使用することができるようにした照明器具を提供することを課題とする。
【課題を解決するための手段】
【００１０】  上記課題を解決することを目的としてなされた本発明照明器具の第一の構成は、光源の周囲に大きさの異なる複数の透光性のパネル（ガラス・アクリル等）を所定の間隔を有して配設し、そのパネルの間に立体的な造形物である固体（植物、鉱物等の自然物、ガラス・アクリル等の人工物等）、液体（無色又は有色の水、油類等）、気体（ドライアイスの煙等）を収装し、それらを透過・反射又は隙間を通して周囲を照らすように構成したことを特徴とするものであり、この構成により照明器具の配光・光色・デザイン等を簡易に変更することができる。【００１１】  また本発明照明器具の第二の構成は、光源の周囲に単数又は大きさの異なる複数の透光性のパネル（ガラス・アクリル等）を配設し、それに平面的な造形物である写真・絵画・図柄・文字等の施された紙・シート（透明・不透明を問わず）・布等、又は立体的な造形物である色付のガラス・アクリル板等、植物の葉・花、貝殻等の人工物・自然物を前記パネルに貼ることを特徴とするものである。この場合において、前記パネルをそれぞれを複数層にすることにより、その隙間に前記の平面的な造形物や厚さが薄い立体的な造形物を挟持したり、前記同様パネル部分に直接に貼ることができる。上記構成により照明の配光・光色・デザイン等を簡易に変更することができる。【００１２】  さらに本発明照明器具の第三の構成は、前記立体的な造形物と前記平面的な造形物をそれぞれに複数層重ねるか又は混在させて複数層重ねることを特徴とするものであり、この構成により、更に複雑かつ興趣あふれる配光・光色・デザイン等を簡易に実現することができる。【００１３】  本発明照明器具における光源としては、ろうそく・白熱球・蛍光灯・ＬＥＤ等を選択して用い、光源の周囲に配設するパネルの任意の部分に空洞箇所を形成し、選択した光源を前記空洞箇所に配設し、本発明照明器具の光源とする。
【発明の効果】
【００１４】  本発明照明器具は使用者・所有者がその時々の趣味・嗜好・必要により、又はＴＰＯ（時間・季節、場所、場合）などによって、照明の構成を上述のように形成することにより、配光・光色・デザイン等を簡易に変更することができる。【００１５】  本発明照明器具はそのシェード体に立体的な造形物（固体・液体・気体）を使用することができる。【００１６】  本発明照明器具ではそのシェード体を形成しているパネルに平面的な造形物及び立体的な造形物を貼って使用するか、又は複層にしたパネルの間に平面的な造形物及び立体的な造形物で厚さが薄い造形物を挟持もしくは貼って使用することができる。【００１７】  本発明照明器具ではそのシェード体に立体的な造形物と平面的な造形物をそれぞれ複数層重ねるか又は混在させて重ね合わせて用いることができる。【００１８】  本発明照明器具では様々な光源の中から任意に選択したものを使用することができる。
【発明の実施するための最良の形態】
【００１９】  以下、本発明の実施の形態の一例を図１〜図４に基づいて説明する。図１は本発明照明器具の構造を説明するための斜視図、図２は図１の正面図、図３は図２のＡ−Ａ矢視平面図、図４は図３のＢ−Ｂ矢視断面図である。
【００２０】  図１〜４において、１は光源であり、ろうそく・白熱灯・蛍光灯・ＬＥＤ等様々な光源の使用が可能である。光源１に白熱灯・蛍光灯・ＬＥＤを用いる場合には充電式又は電池式電源が適当であるが商用電源を使用してもよい。
【００２１】  図１〜４において、２ａ・２ｂ・２ｃは透光性のパネルであり、それによって径が異なる円筒状を形成した複層構造のシェード体を形成する。最も内側のパネル２ａの内部に上記の光源１が設置される。そして、各パネル２ａ〜２ｃの各層間に形成される２つの空間は、立体的な造形物を収装するための２つの収装部４ａ・４ｂが形成される。前記パネル２ａ・２ｂ・２ｃはパネルが複数層に重ねられておりその隙間にパーソナルコンピューターからプリントアウトした写真・絵画・図柄等の平面的造形物３ａ・３ｂ・３ｃを挟持させる。各パネル２ａ・２ｂ・２ｃに前記平面的造形物３ａ・３ｂ・３ｃを直接貼ることもできる。
【００２２】  図１〜４において、５は天然又は人造の花などによる立体的な造形物であり、前記収装部４ａ・４ｂに収装される。
【００２３】  図１〜４において、６ａは同心状に配設される上記パネル２ａ〜２ｃの下端面に配設した底部である。ここでパネル２ａ・２ｂ・２ｃはそれぞれ複層に使用しているが、複層パネルのうちの一層のパネルがこの６ａの底部と一体になっていて、液体や気体が漏れないようになっている。もう一層のパネルは着脱可能となっている。６ｂは収納部４ａ・４ｂに施された環状をなす蓋で気体が漏れないようにする場合や意匠上必要な場合に用いるものである。
【００２４】  図１〜４において、７は上記底部６ａの下面に取り付けられた脚部で、以上により本発明照明器具の一例を形成する。
【００２５】  図５〜図８は図１〜図４により説明した本発明照明器具におけるシェード体の別形態を列挙したものである。本発明照明器具に使用できるシェード体は図５〜８に例示したものの他にも様々な形態での実施が可能である。図５〜図８においても図１〜図４と同様２ａ・２ｂは透光性のパネル、４ａは立体的なものを収装する部分である。ここで図５は平面形状が三角形のシェード体の斜視図、図６は平面形状が四角形のシェード体の斜視図、図７は平面形状がひょうたん形をなすシェード体で、複数の光源を使用したシェード体の例の斜視図、図８は三次曲面を用いて略ドーム状に形成したシェード体の例で、立体的な造形物を主として使用するシェード体の斜視図である。
【００２６】  図１〜図８に示した本発明照明器具のシェード体の例はテーブル等の上に置く載置タイプの例であるが、本発明照明器具は載置タイプ以外に図９・図１０に示す天井直付けタイプ、図１１・図１２に示す天井吊りタイプ、図１３・図１４に示す壁付けタイプの他、様々なタイプで応用が可能である。図９〜図１４においても図１〜図４と同様、１は光源、２ａ・２ｂは透光性のパネル、３ａ・３ｂは平面的造形物、又は厚さの簿い立体的造形物、４ａは立体的な造形物の収装部分、５は立体的な造形物、６ａは透光性のパネルで形成された底部である。ここで図９は天井直付けタイプの斜視図、図１０は天井直付けタイプの断面図、図１１は天井吊りタイプの斜視図、図１２は天井吊りタイプの断面図、図１３は壁付けタイプの斜視図、図１４は壁付けタイプの断面図である。
【００２７】  図１５〜図１８は図１〜図４で説明したシェード体に種々の光源１ｃ〜１ｄを選択的に使用できる例を説明するための図であり、１ａはろうそく、１ｂは白熱灯、１ｃは蛍光灯、１ｄはＬＥＤであり、このように本発明照明器具では様々な種類の光源を用いることが可能である。図１５〜図１８においても図１〜図４と同様２ａ・２ｂは透光性のパネル、４ａは立体的な造形物の収装部、６ａは底部、７は脚部である。
【図面の簡単な説明】
【００２８】
【図１】    本発明照明器具の実施例の構造を説明するための斜視図である。
【図２】    本発明照明器具の実施例を示す図１の正面図である。
【図３】    同じく図２のＡ−Ａ矢視平面図である。
【図４】    同じく図３のＢ−Ｂ矢視断面図である。
【図５】    本発明照明器具のシェード体の形態のバリエーションで、平面形状が三角形のシェードの斜視図である。
【図６】    同じくシェード体の形態のバリエーションで、平面形状が四角形のシェード体の斜視図である。
【図７】    同じくシェード体の形態のバリエーションで、平面形状がひょうたん形をなすシェード体で、複数の光源を使用したシェード体の例の斜視図である。
【図８】    同じくシェード体の形態のバリエーションで、三次曲面を用いて略ドーム状に形成したシェード体の例で、立体的な造形物を主として使用するシェード体の斜視図である。
【図９】    本発明照明器具の使用方法のバリエーションで、天井直付けタイプの斜視図である。
【図１０】    同じく使用方法のバリエーションで、天井直付けタイプの断面図である。
【図１１】    同じく使用方法のバリエーションで、天井吊りタイプの斜視図である。
【図１２】    同じく使用方法のバリエーションで、天井吊りタイプの断面図である。
【図１３】    同じく使用方法のバリエーションで、壁付けタイプの斜視図である。
【図１４】    同じく使用方法のバリエーションで、壁付けタイプの断面図である。
【図１５】    本発明照明器具の光源の例で、ろうそくタイプの断面図である。
【図１６】    同じく光源の例で、白熱灯タイプの断面図である。
【図１７】    同じく光源の例で、蛍光灯タイプの断面図である。
【図１８】    同じく光源の例で、ＬＥＤタイプの断面図である。
【符号の説明】
【００２９】１              光源全般を表す。
１ａ      ろうそく
１ｂ      白熱灯
１ｃ      蛍光灯
１ｄ      ＬＥＤ
２ａ・２ｂ・２ｃ単層又は複層の透光性のパネル（ガラス・アクリル等）
３ａ・３ｂ・３ｃ平面的な造形物、立体的で厚さが薄い造形物
４ａ・４ｂ      立体的な造形物を収装するための収装部
５              立体的な造形物
６ａ            底部
６ｂ            蓋
７              脚部
【図１】
2005174891.tif 000003
【図２】
2005174891.tif 000004
【図３】
2005174891.tif 000005
【図４】
2005174891.tif 000006
【図５】
2005174891.tif 000007
【図６】
2005174891.tif 000008
【図７】
2005174891.tif 000009
【図８】
2005174891.tif 000010
【図９】
2005174891.tif 000011
【図１０】
2005174891.tif 000012
【図１１】
2005174891.tif 000013
【図１２】
2005174891.tif 000014
【図１３】
2005174891.tif 000015
【図１４】
2005174891.tif 000016
【図１５】
2005174891.tif 000017
【図１６】
2005174891.tif 000018
【図１７】
2005174891.tif 000019
【図１８】
2005174891.tif 000020